(57)【特許請求の範囲】
【請求項１】
背中心部を有する既存の上衣の型紙を用いて、
先ず、該型紙の、後身頃の型紙（Ｘ）の肩部（Ａ）に、幅寸法（α１）と、長さ寸法（β１）を有する肩ダーツ部（１）を形成する工程と、
かつ、該後身頃の型紙（Ｘ）の背中心部（Ｂ）から、後ろ袖部（Ｃ）、及び、ウェスト部（Ｄ）に向けて、それぞれ幅寸法（α２）を有する切り開き部（２）を、複数個形成する工程とによって得られる，後身頃の補正型紙（Ｘ１）を得る工程と、
次に、前身頃の型紙（Ｙ）には、該型紙（Ｙ）の前裾部（Ｆ）から身丈ウェストの高さ位置（Ｇ）に向かって設けられている既存の縦ダーツ部（３）に対して、前中心部（Ｈ）に向かって，該縦ダーツ部（３）の頂点部（Ｋ）から横方向に、幅寸法（α３）と長さ寸法（β２）とを有する横ダーツ部（４）を形成する工程と、
該横ダーツ部（４）を折り畳む工程と、
該横ダーツ部（４）を折り畳むことにより、前記既存の縦ダーツ部（３）が拡開して、新縦ダーツ部（３′）を形成する工程と、
この拡開した新縦ダーツ部（３′）を保持する状態で、前身頃のウェスト部（Ｄ′）の下端（Ｊ）から前中心部（Ｈ）に向けて前身頃の裾部（Ｍ）をカットする工程を経て
前身頃の補正型紙（Ｙ１）を得る工程からなり、
これらの各工程の組み合わせからなることを特徴とする腰の曲がった人の上衣用補正型紙の作成方法。
【請求項２】
後身頃の型紙（Ｘ）の肩ダーツ部（１）の幅寸法（α１）が、１〜２ｃｍ、長さ寸法（β１）は、７〜９ｃｍであることを特徴とする請求項１記載の腰が曲がった人の上衣用補正型紙の作成方法。
【請求項３】
後身頃の型紙（Ｘ）の切り開き部（２）は、４〜６ケ所に設けたものであることを特徴とする請求項１記載の腰が曲がった人の上衣用補正型紙の作成方法。
【請求項４】
後身頃の型紙（Ｘ）の切り開き部（２）の幅寸法（α２）は、０．５〜１．５ｃｍであることを特徴とする請求項１記載の腰が曲がった人の上衣用補正型紙の作成方法。
【請求項５】
前身頃の型紙（Ｙ）の裾部（Ｆ）より、長さ寸法（β２）が、１１〜１３ｃｍ、幅寸法（α３）が、１．０〜２．０ｃｍであることを特徴とする請求項１記載の腰の曲がった人の上衣用補正型紙の作成方法。
【発明の詳細な説明】
【技術分野】
【０００１】
この発明は、腰が曲がった人の上衣用補正型紙の作成方法に関するものである。
【背景技術】
【０００２】
従来、腰が曲がった人が、市販の通常の上衣を着用した場合には、後身頃の裾部は、上方に上がり、一方、前身頃の裾部は下方向に下がってしまい（図６参照）、後身頃には、下衣との間の隙間から内部の下着、あるいは肌が直接露出してしまい、見た目に体裁が悪いばかりでなく、着用している本人も、大層、気になるものであった。
【０００３】
それに対して、背の丸い人の上衣が開発されている。例えば、特許文献１のように。
【先行技術文献】
【特許文献】
【０００４】
【特許文献１】特許第３６３２７０４号公報
【０００５】
しかしながら、このような上衣は、後身頃のウェストであって、アームホールの下方に、２つのタックが横方向に向けて形成されており、この上衣を着用した際には、これら２つのタックが、後ろ身頃に２つの太い筋として波打ったように露出するものであり、フィット感がなく、見た目にも、体裁の悪いものに過ぎなかった。
【発明の概要】
【発明が解決しようとする課題】
【０００６】
そこで、この発明は、見た目にも体裁がよく、腰が曲がった人の身体にフィットした，腰が曲がった人用上衣の型紙を、極めて、容易に作成できる方法を開発・提供することにある。
【０００７】
この発明の特徴は、背中心部を設けた既存の型紙を用い、この型紙を畳んだり、切り開いたりして生成し、立体的な型紙に補正することにより、見た目で身体の形状の特徴を強調しないよう、腰が曲がった人の上衣型紙に補正・設計するものである。
【課題を解決するための手段】
【０００８】
この発明による課題を解決するための手段としては、背中心部を設けた既存の上衣の型紙の一部を折り畳んだり、切り開いて構成することにより、見た目で身体の形状の特徴を強調しないよう設計した腰が曲がった人の上衣用補正型紙の作成方法するものである。
【発明の効果】
【０００９】
この発明は、既存の型紙（Ｘ，Ｙ）に基づき、腰の曲がりに応じて、これを補正し、補正型紙（Ｘ１，Ｙ１）に作成することにより、極めて容易に作成でき、これらの補正型紙に基づいて生地を裁断し、縫製して上衣を作成し、着用することにより、体にフィットし、見た目にも体裁のよい上衣が得られる等の極めて有益なる効果を奏するものである。
【００１０】
さらに、この発明の効果を具体的に述べると、
（ａ）  腰が曲がることによる背丈の長さをカバーする手段として、後ろ身頃の型紙（Ｘ）に、切り開き部（２）を、複数箇所形成し、これら切り開き部を増加した補正型紙（Ｘ１）とすることにより、これら各切り開き部（２）に、それぞれ生地を増加したすることによりカバーし、また、該切り開き部（２）を、複数箇所、設けることにより背中にフィットさせて着心地の良好な上衣を得ることができ、また、後ろ身頃の型紙（Ｘ）の肩部（Ａ）に、肩ダーツ部（１）を設けることと相まって、背中にフィットさせ、後ろ裾部（Ｅ）がはねないという効果を奏する。
（ｂ）  既存の前身頃の型紙（Ｙ）において、前裾部（Ｆ）をカットした，前身頃の補正型紙（Ｙ１）とすることにより、前屈みになることによる前裾のダレを解消でき、さらに、既存の前身頃の型紙（Ｙ）に、横ダーツ部（４）を設け、該部を折り畳むことにより、ふくらみを解消することができる。
（ｃ）  前身頃の補正型紙（Ｙ１）、後ろ身頃の補正型紙（Ｘ１）を元に、裁断、縫製することにより、身体にフィットする補正となり、腕の上げ、下げが楽になるという効果も奏するものである。
【図面の簡単な説明】
【００１１】
【図１】この発明の一実施例を示し、既存の後ろ身頃の型紙からの補正の順を示す説明図である。
【図２】この発明の一実施例を示し、既存の前身頃の型紙からの補正の順を示す説明図である。
【図３】この発明の一実施例を示し、後ろ身頃の補正型紙と、前身頃の補正型紙とを用いて、生地を裁断し、裁断した生地を縫製した上衣を示し、（ａ）は背面図であり、（ｂ）は、正面図である。
【図４】既存の後ろ身頃と、既存の前身頃とを用いて、生地を裁断し、裁断した生地を縫製した上衣を示し、（ａ）は背面図であり、（ｂ）は、正面図である。
【図５】この発明の後ろ身頃の補正型紙と、前身頃の補正型紙とを裁断し、裁断した生地を縫製した上衣の着用状態を示す斜視図である。
【図６】既存の後ろ身頃の補正型紙と、既存の前身頃の型紙とを裁断し、裁断した生地を縫製した上衣の着用状態を示す斜視図である。
【発明を実施するための形態】
【００１２】
以下、この発明の好適な実施の形態について、背中心を設けた既存の上衣の型紙を利用し、ダーツ部を形成して該型紙の一部を折り畳んだり、切り開き部を形成して、切り開くことにより、補正した型紙を作成し、その補正した型紙に基づいて、生地を裁断し、裁断された生地を縫製することにより、見た目で身体の形状の特徴を強調しないよう設計した腰が曲がった人の上衣用補正型紙およびその作成方法である。
【実施例】
【００１３】
そこで、この発明の一実施例を図１〜図４に基づいて詳細に説明すると、背中心部を有する既存の上衣の型紙を用いて、先ず、該型紙の、後身頃の型紙（Ｘ）の肩部（Ａ）の適宜な箇所に、適宜の幅寸法（α１）と、長さ寸法（β１）を有する肩ダーツ部（１）を形成する工程を設ける。
【００１４】
尚、該肩ダーツ部（１）のＶ字状の両側部は、縫製の際に縫い合わせるものであり、適宜の幅寸法（α１）とは、１．５ｃｍであり、適宜の長さ寸法（β１）は、８ｃｍであることが最適である。
【００１５】
さらに、前記後身頃の型紙（Ｘ）の背中心部（Ｂ）から、後ろ袖部（Ｃ）、及び、ウェスト部（Ｄ）に向けて、それぞれ、後ろ身頃の型紙（Ｘ）の裾部（Ｅ）と平行に、複数本の線（Ｌ）を引き、該線（Ｌ）をカットし、これら各線（Ｌ）の上部を、適宜の幅寸法（α２）程、それぞれ上方向に切り開くことにより、生地を増加するための切り開き部（２）を、それぞれ形成する工程を経て、後ろ身頃の補正型紙（Ｘ１）を得る工程とするものである。
【００１６】
尚、複数本の線（Ｌ）は、この発明においては、その一実施例として、５本作成しているが、この本数に限定されることはなく、腰の曲がり具合により変化するものである。
そして、この発明の一実施例においては、適宜の幅寸法（α２）は、１ｃｍであり、従って、既存の型紙の背中心部の長さは、５ｃｍ長くなったことになる。
しかし、腰の曲がり具合によっては、適宜の幅寸法（α２）は、１ｃｍ以下であったり、１ｃｍ以上であったりすることも考えられる。
【００１７】
次に、前身頃の型紙（Ｙ）には、該型紙（Ｙ）の前裾部（Ｆ）から身丈ウェストの高さ位置（Ｇ）に向かって設けられている既存の縦ダーツ部（３）に対して、該縦ダーツ部（３）の頂点部（Ｋ）から、前中心部（Ｈ）に向かって横方向に、長さ寸法（β２）の線（Ｌ１）を引き、該線の端部より下方に幅寸法（α３）から前記頂点部（Ｋ）部に向かう線（Ｌ２）からなる横ダーツ部（４）を形成する工程と、
【００１８】
該横ダーツ部（４）は、前身頃の型紙（Ｙ）において線（Ｌ１）と（Ｌ２）とを折り畳む工程と、
【００１９】
該横ダーツ部（４）を、型紙において折り畳むことにより、前記既存の縦ダーツ部（３）の幅が拡開して、新縦ダーツ部（３′）に形成する工程と、
【００２０】
この拡開した新縦ダーツ部（３′）を保持する状態で、前身頃（Ｙ）のウェスト部（Ｄ′）の下端（Ｊ）から前中心部（Ｈ）に向けて、線（Ｌ３）を引き、該線（Ｌ３）を切ることにより、前身頃の裾部（Ｍ）をカットした前身頃の補正型紙（Ｙ１）を得る工程からなり、
【００２１】
これら前記後ろ身頃の補正型紙（Ｘ１）と、前身頃の補正型紙（Ｙ１）の各工程の組み合わせからなることを特徴とする腰が曲がった人の上衣用補正型紙の作成方法から構成されるものである。
【００２２】
そして、前記後ろ身頃の補正型紙（Ｘ１）と前身頃の補正型紙（Ｙ１）により、生地を裁断し、裁断された生地を縫製するものであり、縫製時に、前記の後ろ身頃の肩ダーツ部（１）は、両端を縫い合わせるものであり、また、後身頃の型紙（Ｘ）のそれぞれ複数の切り開き部（２）は、切り開き部によってに増加されるものであって、この増加された後ろ身頃の補正型紙（Ｘ１）で裁断する結果、これらの部分は生地増加部分となるものである。
【００２３】
また、請求項２で、後身頃の型紙（Ｘ）の肩ダーツ部（１）の幅寸法（α１）が、１〜２ｃｍ、長さ寸法（β１）は、７〜９ｃｍであると記載したが、望ましくは、幅寸法（α１）が、１ｃｍ、長さ寸法（β１）は、８ｃｍが好適である。
【００２４】
さらに、請求項３で、後身頃の型紙（Ｘ）の切り開き部（２）は、４〜６ケ所に設けたものであると記載したが、望ましくは、５ケ所である。
【００２５】
そして、請求項４で、後身頃の型紙（Ｘ）の切り開き部（２）の幅寸法（α２）は、０．５〜１．５ｃｍであると記載したが、望ましくは１ｃｍである。
【００２６】
このように、後ろ身頃の型紙（Ｘ）の補正は、背中の丸みを出すため、複数の切り開き部（２）を形成し、また、肩ダーツ部（１）を形成することにより、後ろ裾のはね上がりを解消させるよう構成したものである。
【００２７】
また、請求項５では、前身頃の型紙（Ｙ）の、前裾部（Ｆ）より、適宜な長さ寸法（β２）が１１〜１３ｃｍ、そして、適宜な幅寸法（α３）が、１．０〜２．０ｃｍであると記載したが、望ましくは、長さ寸法（β２）は１２ｃｍ、幅寸法（α３）は１．５ｃｍが好適である。
【００２８】
尚、この発明は、腰が曲がった人の上衣用補正型紙の作成方法について述べるため、袖については既存の型紙の袖をもちいてもよいため、袖の説明は省略した。
【産業上の利用可能性】
【００２９】
この発明の腰が曲がった人の上衣用補正型紙の作成方法の技術を確立し、該技術を実施・販売することにより、産業上利用可能性があるものである。
【符号の説明】
【００３０】
１  肩ダーツ部
２  切り開き部
３  縦ダーツ部
３′  拡開した縦ダーツ部
４  横ダーツ部
Ａ  肩部
Ｂ  背中心部
Ｃ  後ろ袖部
Ｄ  ウェスト部
Ｄ′  前身頃のウェスト部
Ｅ  前中心
Ｆ  前裾部
Ｇ  身丈ウェストの高さ位置
Ｊ  下端
Ｋ  頂点部
Ｈ  前中心部
Ｌ，Ｌ１，Ｌ２，Ｌ３  線
Ｘ  後身頃の型紙
Ｙ  前身頃の型紙
Ｘ１  後身頃の補正型紙
Ｙ１  前身頃の補正型紙
α１  幅寸法
α２  幅寸法
α３  幅寸法
β１  長さ寸法
β２  長さ寸法
【図１】
0005238853.tif 000002
【図２】
0005238853.tif 000003
【図３】
0005238853.tif 000004
【図４】
0005238853.tif 000005
【図５】
0005238853.tif 000006
【図６】
0005238853.tif 000007